(57)【要約】【課題】  色覚障害があるユーザが、画像に基づいて撮像時の構図確認を行う際に、ユーザに合わせて、より見やすい画像の表示を実現すること。【解決手段】  被写体像を撮像して画像を生成する撮像部と、構図確認用の画像を表示する表示部と、ユーザの色覚障害に関する情報を取得する取得部と、情報に基づいて、表示部に表示される構図確認用の画像を補正する補正部とを備える。なお、補正部は、構図確認用の画像に対する画像処理と、表示部における各色の発光比率の制御との少なくとも一方を行うことにより、表示部に表示される構図確認用の画像を補正しても良い。【選択図】      図１
2009111489.tif 000002
【特許請求の範囲】
【請求項１】
被写体像を撮像して画像を生成する撮像部と、
構図確認用の前記画像を表示する表示部と、
ユーザの色覚障害に関する情報を取得する取得部と、
前記情報に基づいて、前記表示部に表示される構図確認用の前記画像を補正する補正部と
を備えたことを特徴とする撮像装置。
【請求項２】
請求項１に記載の撮像装置において、
前記補正部は、構図確認用の前記画像に対する画像処理と、前記表示部における各色の発光比率の制御との少なくとも一方を行うことにより、前記表示部に表示される構図確認用の前記画像を補正する
ことを特徴とする撮像装置。
【請求項３】
請求項１に記載の撮像装置において、
前記ユーザによる操作を受け付ける操作部と、
前記表示部と前記操作部とを制御して前記ユーザの色覚障害について診断する診断部とをさらに備え、
前記取得部は、前記診断部による診断結果に応じて、前記情報を取得する
ことを特徴とする撮像装置。
【請求項４】
請求項１に記載の撮像装置において、
前記取得部は、前記情報と、前記情報の算出に用いる情報との少なくとも一方を、前記撮像装置の外部から取得する
ことを特徴とする撮像装置。
【請求項５】
請求項１に記載の撮像装置において、
前記補正部による補正内容に基づいて、前記撮像部により生成された前記画像に対する画像処理を施す画像処理部をさらに備える
ことを特徴とする撮像装置。
【請求項６】
請求項５に記載の撮像装置において、
前記画像処理部による画像処理後の画像に関連づけて、前記補正部による補正内容を示す情報と、前記画像処理部による画像処理の内容を示す情報と、前記画像処理部による画像処理前の画像とのうち少なくとも一つを記録する記録部をさらに備える
ことを特徴とする撮像装置。
【請求項７】
請求項１に記載の撮像装置において、
前記補正部による補正内容を示す情報と、前記撮像部により生成された前記画像とを関連づけて記録する記録部をさらに備える
ことを特徴とする撮像装置。
【請求項８】
請求項１に記載の撮像装置において、
前記補正部による補正内容を示す情報を、前記撮像装置の外部に出力する出力部をさらに備える
ことを特徴とする撮像装置。
【請求項９】
請求項３に記載の撮像装置において、
前記診断部による診断結果を示す情報を、前記撮像装置の外部に出力する出力部をさらに備える
ことを特徴とする撮像装置。
【発明の詳細な説明】
【技術分野】
【０００１】
被写体像を撮像して生成した画像を表示する表示部を備えた撮像装置に関する。
【背景技術】
【０００２】
従来より、色弱や色盲などの色覚障害があるユーザに対して、各種機器の使用を助ける技術が考えられている。例えば、特許文献１の発明では、画像の出力に際して、予め登録された誤認傾向にある色情報を参照することにより、見やすく、誤解の無い画像の出力を実現している。
【特許文献１】特開２００６−２４６０７２号公報
【発明の開示】
【発明が解決しようとする課題】
【０００３】
ところで、色覚障害があるユーザが撮像装置を使用する場合、画像に基づいて撮像時の構図確認を行う際に、画像の認識が困難になることがある。このような場合には、構図確認時の画角の決定や焦点調節が難しくなる。また、ユーザの色覚障害は、内容や程度において様々な個人差があり、一律の対応を取ることが困難である。
【０００４】
本発明の撮像装置は、色覚障害があるユーザが、画像に基づいて撮像時の構図確認を行う際に、ユーザに合わせて、より見やすい画像の表示を実現することを目的とする。
【課題を解決するための手段】
【０００５】
本発明の撮像装置は、被写体像を撮像して画像を生成する撮像部と、構図確認用の前記画像を表示する表示部と、ユーザの色覚障害に関する情報を取得する取得部と、前記情報に基づいて、前記表示部に表示される構図確認用の前記画像を補正する補正部とを備える。
【０００６】
なお、好ましくは、前記補正部は、構図確認用の前記画像に対する画像処理と、前記表示部における各色の発光比率の制御との少なくとも一方を行うことにより、前記表示部に表示される構図確認用の前記画像を補正しても良い。
【０００７】
また、好ましくは、前記ユーザによる操作を受け付ける操作部と、前記表示部と前記操作部とを制御して前記ユーザの色覚障害について診断する診断部とをさらに備え、前記取得部は、前記診断部による診断結果に応じて、前記情報を取得しても良い。
【０００８】
また、好ましくは、前記取得部は、前記情報と、前記情報の算出に用いる情報との少なくとも一方を、前記撮像装置の外部から取得しても良い。
【０００９】
また、好ましくは、前記補正部による補正内容に基づいて、前記撮像部により生成された前記画像に対する画像処理を施す画像処理部をさらに備えても良い。
【００１０】
また、好ましくは、前記画像処理部による画像処理後の画像に関連付けて、前記補正部による補正内容を示す情報と、前記画像処理部による画像処理の内容を示す情報と、前記画像処理部による画像処理前の画像とのうち少なくとも一つを記録する記録部をさらに備えても良い。
【００１１】
また、好ましくは、前記補正部による補正内容を示す情報と、前記撮像部により生成された前記画像とを関連付けて記録する記録部をさらに備えても良い。
【００１２】
また、好ましくは、前記補正部による補正内容を示す情報を、前記撮像装置の外部に出力する出力部をさらに備えても良い。
【００１３】
また、好ましくは、前記診断部による診断結果を示す情報を、前記撮像装置の外部に出力する出力部をさらに備えても良い。
【発明の効果】
【００１４】
本発明の撮像装置によれば、色覚障害があるユーザが、画像に基づいて撮像時の構図確認を行う際に、ユーザに合わせて、より見やすい画像の表示を実現することができる。
【発明を実施するための最良の形態】
【００１５】
以下、図面を用いて本発明の実施形態について説明する。本実施形態では、いわゆる電子ビューファインダを備えた電子カメラを例に挙げて説明する。
【００１６】
図１は、本実施形態の電子カメラ１の構成を示す図である。図１に示すように、電子カメラ１は、撮影レンズ２、絞り３、サブモニタ４、接眼レンズ５、撮像素子６、メインモニタ７、制御部８の各部を備える。
【００１７】
サブモニタ４およびメインモニタ７は、液晶表示素子、有機ＥＬ素子などを備える。撮像素子６は、例えばＣＣＤ（Charge Coupled Device）やＣＭＯＳ（Complementary Metal Oxide Semiconductor）などの半導体デバイスである。また、制御部８は、電子カメラ１の各部を統括的に制御する。制御部８は、内部に不図示のメモリを備え、各部を制御するためのプログラムを予め記憶する。
【００１８】
サブモニタ４は、構図確認に用いられるいわゆる電子ビューファインダである。ユーザは、接眼レンズ５を介してサブモニタ４を目視することにより、構図確認時の画角の決定や焦点調節を行うことができる。
【００１９】
図２は、本実施形態の電子カメラ１の機能ブロック図である。図２に示すように、電子カメラ１は、撮影レンズ２、絞り３、撮像素子６に加えて不図示のＡ／Ｄ変換部などを含む撮像部２０、不図示のレリーズボタン、選択ボタンなどを含む操作部２１、撮像部２０により生成した画像に画像処理を施す画像処理部２２、不図示のメモリカードなどを備え撮像部２０により生成した画像等を記録する記録部２３、外部機器と相互に接続可能な外部インタフェース部２４の各部を備える。
【００２０】
撮像部２０、画像処理部２２、記録部２３、外部インタフェース部２４の各部は制御部８と相互に接続される。また、制御部８は、操作部２１の状態を検知する。さらに、制御部８の出力は、サブモニタ４およびメインモニタ７にそれぞれ接続される。
【００２１】
以上説明した構成の電子カメラ１において、制御部８は、撮像時には撮像部２０を制御して撮像素子６により被写体像を撮像し、画像処理部２２を制御して画像処理を施してスルー画像を生成し、サブモニタ４に表示する。そして、操作部２１の不図示のレリーズボタンが操作されると、制御部８は、撮像部２０を制御して被写体像を撮像し、画像処理部２２を制御して画像処理を施して画像を生成し、記録部２３に記録する。このとき生成される画像を上述したスルー画像と区別し、以下では「本画像」と称する。また、再生時には、制御部８は、記録部２３からユーザ指示にしたがって画像を読み出し、メインモニタ７に表示する。
【００２２】
ところで、色覚障害があるユーザが電子カメラ１を使用する場合、サブモニタ４に表示されるスルー画像に基づいて撮像時の構図確認を行う際に、画像の認識が困難になることがある。このような場合には、上述したように、構図確認時の画角の決定や焦点調節が難しくなる。そこで、本実施形態では、色覚障害があるユーザにとって、より見やすい表示を実現するための処理を行う。
【００２３】
図３は、初期設定時の制御部８の動作を示すフローチャートである。
【００２４】
ステップＳ１において、制御部８は、色覚障害診断を行うか否かを判定する。制御部８は、サブモニタ４またはメインモニタ７に、ユーザに色覚障害診断を行うか否かを問いかけるメッセージを表示し、操作部２１を介したユーザの回答を取得する。そして、制御部８は、ユーザが色覚障害診断を行うと回答した場合には、ステップＳ２に進み、色覚障害診断を行わないと回答した場合には初期設定を終了する。
【００２５】
ステップＳ２において、制御部８は、順次設問を表示し、回答を取得する。制御部８は、サブモニタ４またはメインモニタ７に、順次設問を表示し、操作部２１を介したユーザの回答を取得する。なお、サブモニタ４に表示されるスルー画像の見え方を重要視する場合には、サブモニタ４に設問を表示して診断を行うのが好ましい。また、設問は公知の色覚障害診断に用いられる設問を用いれば良い。例えば、図４Ａに示す石原式検査表、図４Ｂに示す東京医大表、不図示の標準色覚検査表などを用いると良い。なお、各設問は、操作部２１を介して簡単に回答できるように、「ＹＥＳ」、「ＮＯ」や「左」、「右」など選択的に回答できるものが好ましい。
【００２６】
ステップＳ３において、制御部８は、ステップＳ２で取得した回答に基づいて、色覚障害の有無、種類、程度を診断する。
【００２７】
ステップＳ４において、制御部８は、ステップＳ３の診断結果に基づき、色覚障害があるか否かを判定する。そして、制御部８は、色覚障害があると判定した場合には、ステップＳ５に進み、色覚障害が無いと判定した場合には初期設定を終了する。
【００２８】
ステップＳ５において、制御部８は、制御部８内の不図示のメモリにステップＳ３の診断結果を記録する。
【００２９】
ステップＳ６において、制御部８は、診断結果を外部に出力するか否かを判定する。制御部８は、サブモニタ４またはメインモニタ７に、ユーザに診断結果を外部に出力するか否かを問いかけるメッセージを表示し、操作部２１を介したユーザの回答を取得する。そして、制御部８は、ユーザが診断結果を外部に出力すると回答した場合には、ステップＳ７に進み、診断結果を外部に出力しないと回答した場合にはステップＳ８に進む。
【００３０】
ステップＳ７において、制御部８は、外部インタフェース部２４を介して、ステップＳ３の診断結果を出力する。
【００３１】
出力された診断結果は、色覚障害の簡易的な診断結果として多様な利用が可能である。例えば、外部の表示装置やプリンターなどの出力機器において、出力を最適化する場合などにも有用である。
【００３２】
ステップＳ８において、制御部８は、後述する手順にしたがって、診断結果の適用対象の設定を受け付ける。
【００３３】
ステップＳ９において、制御部８は、設定内容を外部に出力するか否かを判定する。制御部８は、サブモニタ４またはメインモニタ７に、ユーザに設定内容を外部に出力するか否かを問いかけるメッセージを表示し、操作部２１を介したユーザの回答を取得する。そして、制御部８は、ユーザが設定内容を外部に出力すると回答した場合には、ステップＳ１０に進み、設定内容を外部に出力しないと回答した場合には初期設定を終了する。
【００３４】
ステップＳ１０において、制御部８は、外部インタフェース部２４を介して、ステップＳ８の設定内容を出力する。
【００３５】
出力された設定内容は、ユーザの色覚障害に対応した設定内容として多様な利用が可能である。例えば、外部の表示装置やプリンターなどの出力機器において、出力を最適化するための設定に転用することができる。
【００３６】
なお、以上説明した初期設定の処理の一部または全部は、ユーザの所望のタイミングで行われても良い。すなわち、初期設定時以外にも、色覚障害診断や診断結果の適用対象の設定を適宜実行可能とするのが好ましい。また、複数のユーザにより電子カメラ１を共用する場合には、それぞれのユーザに関して色覚障害診断の結果や診断結果の適用対象の設定を個別に記録しておくと良い。
【００３７】
次に、図３のフローチャートのステップＳ８で説明した診断結果の適用対象の設定の詳細について、図５のフローチャートを用いて説明する。
【００３８】
ステップＳ１１において、制御部８は、図６に示すようなメニューを、サブモニタ４またはメインモニタ７に表示し、操作部２１を介したユーザの回答を取得する。そして、制御部８は、スルー画像と本画像との両方を適用対象とするとユーザが回答した場合には、ステップＳ１２に進み、それ以外の場合には後述するステップＳ１７に進む。
【００３９】
ステップＳ１２において、制御部８は、制御部８内の不図示のメモリからスルー画像用の補正値を読み出す。制御部８内の不図示のメモリには、図７に示すテーブルが予め記憶されている。このテーブルには、図７に示すように、色覚障害の診断結果に基づく分類ごとに、スルー画像用補正値（Ｆ１〜Ｆ６）と本画像用補正値（ｆ１〜ｆ６）とが記憶されている。
【００４０】
スルー画像用補正値（Ｆ１〜Ｆ６）は、サブモニタ４に表示されるスルー画像を、ユーザの色覚障害に応じて、より見やすく表示するための画像処理にかかわる補正値である。具体的には、ユーザの色覚障害の種類、程度に応じて、見にくい色の組み合わせを他の色の組み合わせに置き換えたり、各色の輝度・彩度等を最適化するための補正値である。この補正値の内容については、公知技術と同様であるため詳細な説明を省略する。
【００４１】
また、本画像用補正値（ｆ１〜ｆ６）は、撮像部２０により生成され、記録部２３に記録される本画像を、ユーザの色覚障害に応じて補正するための画像処理にかかわる補正値である。具体的には、上述したスルー画像用補正値（Ｆ１〜Ｆ６）と同様に、ユーザの色覚障害の種類、程度に応じて、見にくい色の組み合わせを他の色の組み合わせに置き換えたり、各色の輝度・彩度等を最適化するための補正値である。この補正値の内容についても、公知技術と同様であるため詳細な説明を省略する。また、本画像用補正値（ｆ１〜ｆ６）は、スルー画像用補正値（Ｆ１〜Ｆ６）と関連付けられたものであることが好ましい。スルー画像用補正値（Ｆ１〜Ｆ６）と本画像用補正値（ｆ１〜ｆ６）とが関連付けられていれば、サブモニタ４に表示されるスルー画像と、記録部２３に記録される本画像とが、その表現において近いものになるからである。また、スルー画像用補正値（Ｆ１〜Ｆ６）に基づいて、適宜本画像用補正値（ｆ１〜ｆ６）を算出する構成としても良い。
【００４２】
制御部８は、図３のフローチャートのステップＳ３における診断結果に応じて、スルー画像用補正値（Ｆ１〜Ｆ６）の何れかを読み出す。
【００４３】
ステップＳ１３において、制御部８は、本画像へスルー画像用の補正値を付帯するか否かの指定を受け付ける。制御部８は、サブモニタ４またはメインモニタ７に、ユーザに本画像へスルー画像用の補正値を付帯するか否かを問いかけるメッセージを表示し、操作部２１を介したユーザの回答を取得する。
【００４４】
スルー画像用の補正値を本画像へ付帯する場合、制御部８は、スルー画像用の補正値をタグ情報などの付帯情報として、本画像に関連付けて記録する。付帯されたスルー画像用補正値は、ユーザの色覚障害に対応した補正値として多様な利用が可能である。例えば、外部の表示装置やプリンターなどの出力機器において、出力を最適化するための設定に転用することができる。
【００４５】
ステップＳ１４において、制御部８は、制御部８内の不図示のメモリから本画像用の補正値を読み出す。制御部８は、図３のフローチャートのステップＳ３における診断結果に応じて、本画像用補正値（ｆ１〜ｆ６）の何れかを読み出す。
【００４６】
ステップＳ１５において、制御部８は、本画像へ本画像用の補正値を付帯するか否かの指定を受け付ける。制御部８は、サブモニタ４またはメインモニタ７に、ユーザに本画像へ本画像用の補正値を付帯するか否かを問いかけるメッセージを表示し、操作部２１を介したユーザの回答を取得する。
【００４７】
本画像用の補正値を本画像へ付帯する場合、制御部８は、本画像用の補正値をタグ情報などの付帯情報として、本画像に関連付けて記録する。付帯された本画像用補正値は、ユーザの色覚障害に対応した補正値として多様な利用が可能である。例えば、外部の撮像装置によって生成した画像に対する画像処理に転用することができる。また、外部の表示装置やプリンターなどの出力機器において、出力を最適化するための設定に転用することができる。
【００４８】
ステップＳ１６において、制御部８は、本画像へ画像処理前の画像を付帯するか否かの指定を受け付ける。制御部８は、サブモニタ４またはメインモニタ７に、ユーザに本画像へ画像処理前の画像を付帯するか否かを問いかけるメッセージを表示し、操作部２１を介したユーザの回答を取得する。
【００４９】
画像処理前の画像を本画像へ付帯する場合、制御部８は、画像処理前の画像をタグ情報などの付帯情報として、本画像に関連付けて記録する。付帯された画像処理前の画像は、多様な利用が可能である。例えば、色覚障害が無い鑑賞者に見せるために画像処理前の画像を使用し、色覚障害がある鑑賞者に見せるために画像処理後の画像を使用するなど、画像処理前後の画像を適宜使い分けることができる。
【００５０】
ステップＳ１７において、制御部８は、ステップＳ１１において、スルー画像のみを適用対象とするとユーザが回答した場合には、ステップＳ１８に進み、それ以外の場合には後述するステップＳ２０に進む。
【００５１】
ステップＳ１８において、制御部８は、ステップＳ１２と同様に、図３のフローチャートのステップＳ３における診断結果に応じて、スルー画像用補正値（Ｆ１〜Ｆ６）の何れかを読み出す。
【００５２】
ステップＳ１９において、制御部８は、ステップＳ１３と同様に、本画像へスルー画像用の補正値を付帯するか否かの指定を受け付ける。
【００５３】
ステップＳ２０において、制御部８は、ステップＳ１１において、本画像のみを適用対象とするとユーザが回答した場合には、ステップＳ２１に進み、それ以外の場合（適用対象なしとユーザが回答した場合）には一連の処理を終了する。
【００５４】
ステップＳ２１において、制御部８は、ステップＳ１４と同様に、図３のフローチャートのステップＳ３における診断結果に応じて、本画像用補正値（ｆ１〜ｆ６）の何れかを読み出す。
【００５５】
ステップＳ２２において、制御部８は、ステップＳ１５と同様に、本画像へ本画像用の補正値を付帯するか否かの指定を受け付ける。
【００５６】
ステップＳ２３において、制御部８は、ステップＳ１６と同様に、本画像へ画像処理前の画像を付帯するか否かの指定を受け付ける。
【００５７】
ステップＳ２４において、制御部８は、各部の設定を行う。設定には以下の２種類の要素が含まれる。
【００５８】
（１）診断結果の適用対象について
制御部８は、ステップＳ１１，Ｓ１７，Ｓ２０において適用対象とされた画像を画像処理部２２に設定する。この結果、画像処理部２２は、スルー画像および本画像のうち、ユーザが適用対象とした画像のみに対して、読み出した補正値（ステップＳ１２，Ｓ１４，Ｓ１８，Ｓ２１）に基づく画像処理を行う。
【００５９】
（２）本画像の記録について
制御部８は、ステップＳ１３，Ｓ１５，Ｓ１６，Ｓ１９，Ｓ２２，Ｓ２３において本画像に付帯するとされた情報（各補正値または画像処理前の画像）を設定する。この結果、制御部８は、各補正値および画像処理前の画像のうち、ユーザが本画像に付帯するとした情報のみを本画像の付帯情報として記録する。
【００６０】
以上説明した初期設定が終了した後に、本画像を撮像する際の制御部８の動作について、図８に示すフローチャートを用いて説明する。
【００６１】
ステップＳ３１において、制御部８は、各部を制御して被写体像を撮像し、スルー画像を生成する。このとき、スルー画像が診断結果の適用対象になっている場合には、制御部８は、スルー画像用補正値（Ｆ１〜Ｆ６）を用いて画像の補正を行う。
【００６２】
ステップＳ３２において、制御部８は、ステップＳ３１で生成したスルー画像をサブモニタ４に表示する。
【００６３】
ステップＳ３３において、制御部８は、操作部２１を介して撮像指示が行われたか否かを判定する。制御部８は、撮像指示が行われるまでステップＳ３１とステップＳ３２の処理を繰り返し、撮像指示が行われるとステップＳ３４に進む。
【００６４】
ステップＳ３４において、制御部８は、各部を制御して被写体像を撮像し、本画像を生成する。このとき、本画像が診断結果の適用対象になっている場合には、制御部８は、本画像用補正値（ｆ１〜ｆ６）を用いて画像の補正を行う。
【００６５】
ステップＳ３５において、制御部８は、ステップＳ３４で生成した本画像を記録部２３に記録する。このとき、制御部８は、適用対象の設定において指定された情報（図５のフローチャートで説明した情報）を本画像の付帯情報として記録する。
【００６６】
以上説明したように、本実施形態によれば、ユーザの色覚障害に関する情報を取得し、取得した情報に基づいて、構図確認用の画像に対する画像処理を行うことにより、表示部に表示される構図確認用の画像を補正する。したがって、色覚障害があるユーザが、画像に基づいて撮像時の構図確認を行う際に、ユーザに合わせて、より見やすい画像の表示を実現することができる。
【００６７】
また、本実施形態によれば、表示部と操作部とを制御してユーザの色覚障害について診断し、診断結果に応じて、ユーザの色覚障害に関する情報を取得する。したがって、使用する電子カメラにおけるユーザの見え方に基づいて診断を行うことにより、的確な診断結果を得ることができる。また、その診断結果に応じて構図確認用の画像を補正することにより、より見やすい画像の表示を実現することができる。
【００６８】
また、本実施形態によれば、表示部に表示される構図確認用の画像の補正内容に基づいて、撮像により生成された画像に対する画像処理を施す。したがって、表示部に表示される構図確認用の画像（スルー画像）と、撮像により生成された画像（本画像）とを、その表現において近いものにすることができる。
【００６９】
なお、本実施形態では、画像処理の手法を用いて、サブモニタ４に表示される画像を、ユーザの色覚障害に応じて、より見やすく表示するために補正する例を示したが、本発明はこの例に限定されない。例えば、サブモニタ４が複数色のバックライトを備える構成である場合、画像処理を行う代わりに、色覚障害の診断結果に基づいて、バックライトの各色の発光比率を制御する構成としても良い。例えば、バックライトがＲ，Ｇ，Ｂの３色である場合には、この３色の発光比率を適宜制御することにより、画像処理の手法を用いた場合と同様の効果を得ることができる。また、自発光式の表示素子に関しても同様である。画像処理の手法に代えて、表示部の各色の発光比率を制御する場合には、画像処理を行う場合に比べて表示の応答速度を短縮する効果が期待できる。また、複数の光学フィルターを予め用意し、色覚障害の診断結果に基づいて、光学フィルターを適宜入れ替える構成としても同様の効果を得ることができる。
【００７０】
なお、画像処理の手法と、表示部の各色の発光比率を制御する手法と、光学フィルターを用いる手法とのうち２つ以上の手法を適宜組み合わせて実行しても良い。
【００７１】
また、本実施形態では、電子カメラ１を用いて色覚障害診断を行う例を示したが、本発明はこの例に限定されない。例えば、色覚障害診断をコンピュータなどの機器を用いて予め行い、診断結果に相当する情報を、外部インタフェース部２４を介して取得する構成としても良い。また、操作部２１を介して診断結果に相当する情報を入力する構成としても良い。
【００７２】
また、本実施形態においてサブモニタ４を用いて説明した処理の一部または全部を、メインモニタ７を用いて行っても良い。例えば、スルー画像の表示などをメインモニタ７を用いて行っても良い。メインモニタ７を用いて色覚障害診断を行う場合に、メインモニタ７にタッチパネルを備えれば、「所定の文字をなぞる」などの複雑な回答も受け付けることができる。また、モニタを一つのみ備える（サブモニタ４のみ、またはメインモニタ７のみ）電子カメラにも本発明を同様に適用することができる。
【００７３】
また、本実施形態において、電子カメラ１で自動設定した内容を、ユーザ操作に基づいて適宜調整可能な構成としても良い。例えば、図７を用いて説明した補正値を、ユーザ操作に基づいて調整可能な構成としても良い。このような構成とすることにより、ユーザの色覚障害の状態や好みにより応じたより好ましい補正を実現することができる。
【００７４】
また、本実施形態で説明した電子カメラ１は、静止画像を撮像する電子カメラであっても良いし、動画像を撮像する電子カメラであっても良いし、静止画像と動画像との両方を撮像する電子カメラであっても良い。また、撮像素子を備えたいわゆる電子ビューファインダ付き銀塩カメラにも本発明を同様に適用することができる。
【図面の簡単な説明】
【００７５】
【図１】本実施形態の電子カメラ１の構成を示す図である。
【図２】本実施形態の電子カメラ１の機能ブロック図である。
【図３】初期設定時の制御部８の動作を示すフローチャートである。
【図４】色覚障害診断について説明する図である。
【図５】診断結果の適用対象の設定に関するフローチャートである。
【図６】メニューについて説明する図である。
【図７】補正値のテーブルを示す図である。
【図８】本画像撮像時の制御部８の動作を示すフローチャートである。
【符号の説明】
【００７６】
１…電子カメラ，４…サブモニタ，６…撮像素子，７…メインモニタ，８…制御部，２０…撮像部，２２…画像処理部，２３…記録部，２４…外部インタフェース部
【図１】
2009111489.tif 000003
【図２】
2009111489.tif 000004
【図３】
2009111489.tif 000005
【図４】
2009111489.tif 000006
【図５】
2009111489.tif 000007
【図６】
2009111489.tif 000008
【図７】
2009111489.tif 000009
【図８】
2009111489.tif 000010